(57)【要約】【課題】利便性や安全性、意匠性などを向上させることができる給電レールを提供する。【解決手段】給電レール１は、Ｕ字溝１０を有したレール部材１０を備え、Ｕ字溝１０の内部に、レール部材１０の延出方向に沿って、一対の電力線導電バー２４ａおよび一対の通信線導電バー２５ａを配した構成とされ、一対の電力線導電バー２４ａの並び方向と、一対の通信線導電バー２５ａの並び方向とを異ならせている。【選択図】図１
2020162356.tif 000002
【特許請求の範囲】
【請求項１】
Ｕ字溝を有したレール部材を備え、前記Ｕ字溝の内部に、前記レール部材の延出方向に沿って、一対の第１導電バーおよび一対の第２導電バーを配した給電レールにおいて、
前記一対の第１導電バーの並び方向と、前記一対の第２導電バーの並び方向とを異ならせたことを特徴とする給電レール。
【請求項２】
請求項１において、
前記一対の第１導電バーと前記一対の第２導電バーとは電圧が異なり、高い電圧の導電バーを前記Ｕ字溝の溝底側に設けたことを特徴とする給電レール。
【請求項３】
請求項１または２において、
前記一対の第１導電バーおよび前記一対の第２導電バーのうち、一方の導電バーを溝開口側に前記Ｕ字溝の溝深さ方向に沿って並べ、他方の導電バーを溝底側に前記Ｕ字溝の溝幅方向に並べたことを特徴とする給電レール。
【発明の詳細な説明】
【技術分野】
【０００１】
本発明は、レール部材のＵ字溝の内部に導電バーを配した給電レールに関する。
【背景技術】
【０００２】
従来、この種の給電レールとして、Ｕ字溝の内部に、給電レールの長手方向に沿って、一対の電力線導電バーおよび一対の通信線導電バーを配したものが知られている（例えば、特許文献１参照）。このような給電レールによれば、電力線（強電線）と通信線（弱電線）の２種類の配線を１つの部材にコンパクトにまとめることができる。特許文献１には、Ｕ字溝の断面視で、溝壁面に並べたものや溝底面に並べたものが記載されている。
【先行技術文献】
【特許文献】
【０００３】
【特許文献１】特開２０１２−１６５６２６号公報
【発明の概要】
【発明が解決しようとする課題】
【０００４】
しかしながら、上記文献技術のように、２種類の一対の導電バーのすべてを、例えば１溝壁面や溝底面に同じ方向に並べたものでは、溝の深さ寸法や溝の幅寸法が大きくなりすぎる可能性がある。したがって、レール部材の高さ寸法や幅寸法が大きくなりすぎて、レール部材の形状が特異なものとなるおそれがある。特に、壁面パネル間にレール部材を配する場合、特異な形状では、意匠面や利用面でのデメリットが大きい。
【０００５】
また、溝深さ寸法が大きすぎるものでは、受電プラグが長いものとなり、受電プラグの差し込みがしにくくなり、受電プラグの差し込み量を間違えた場合には誤動作が起こるおそれもある。また、溝幅寸法が大きすぎるものでは、開口幅が広くなり、ごみやほこりが入り込みやすくなるおそれがある。
【０００６】
さらに、対面する溝壁面の各々に一対の導電バーを並べたものでは、２種類の導電バーの判別がしにくくなる。また、溝開口が横を向くようにレール部材を水平方向に配した場合には、下側の溝壁面に設けた導電バーの上に、ごみやほこりが溜まりやすくなるおそれもある。
【０００７】
ようするに、上記文献のもののように２種類の導電バーを同じ方向に並べたものは、利便性や安全性、意匠性などにすぐれているとは言いがたい。
【０００８】
本発明は、このような事情を考慮して提案されたもので、その目的は、利便性や安全性、意匠性などを向上させることができる給電レールを提供することにある。
【課題を解決するための手段】
【０００９】
上記目的を達成するために、本発明の給電レールは、Ｕ字溝を有したレール部材を備え、Ｕ字溝の内部に、レール部材の延出方向に沿って、一対の第１導電バーおよび一対の第２導電バーを配した給電レールにおいて、一対の第１導電バーの並び方向と、一対の第２導電バーの並び方向とを異ならせたことを特徴とする。
【発明の効果】
【００１０】
本発明の給電レールは上述した構成とされているため、給電レールの使用に際しての利便性や安全性、意匠性などを向上させることができる。
【図面の簡単な説明】
【００１１】
【図１】本発明の一実施形態に係る給電レールの説明図である。（ａ）は給電レールの取り付け例を示す部分斜視図、（ｂ）は給電レールの拡大側面図である。
【図２】（ａ）は給電レールに取り付けられる受電プラグ付きコンセントの正面側の斜視図、（ｂ）は同コンセントの背面側（受電プラグ側）の斜視図、（ｃ）は受電プラグの回転操作を示す図である。
【図３】受電プラグ（コンセント）の取り付け説明図である。（ａ）は、給電レールとコンセントが電気的に接続された状態の正面図である。（ｂ）（ｃ）は、コンセントの取り付け状態を示す拡大側面図であり、（ｂ）は給電レールとコンセントが電気的に未接続の状態の拡大側面図、（ｃ）は給電レールとコンセントが電気的に接続された状態の拡大側面図である。
【発明を実施するための形態】
【００１２】
以下に、本発明の実施の形態について、添付図面を参照しながら説明する。
まず、実施形態に係る給電レール１の基本構成を記述する。
【００１３】
本給電レール１は、Ｕ字溝２０を有したレール部材１０を備え、Ｕ字溝２０の内部に、レール部材１０の延出方向に沿って、一対の第１導電バー２４ａおよび一対の第２導電バー２５ａを配したものである。図１（ｂ）等に図示してあるように、一対の第１導電バー２４ａの並び方向と、一対の第２導電バー２５ａの並び方向とは異なっている。
【００１４】
ついで、給電レール１の詳細について説明する。
【００１５】
給電レール１は、図１（ａ）（ｂ）に示すように、複数のパネル５を連設するための部材であり、例えば壁などの下地３に取り付けられる。また例えば、給電レール１は収納棚の内壁面に取り付けられるようにしてもよい。なお、本実施形態のものは、パネル５を上下に取り付けできるように略水平方向に設置するようにしているが、鉛直方向に設置するようにしてもかまわない。
【００１６】
給電レール１は、上述したように、レール部材１０と、レール部材１０の全長に合致した、強電用の一対の第１導電バー２４ａと、レール部材１０の全長に合致した、弱電用の一対の第２導電バー２５ａとを備えている。これらの導電バーは、種類におうじたそれぞれの電源に接続することで通電が可能とされている。本実施形態では、第１導電バー２４ａとして高い電圧（例えばＡＣ１００Ｖ）の電力線導電バー２４ａを例示し、第２導電バー２５ａとして低い電圧の通信線導電バー２５ａを例示した。
【００１７】
図１（ｂ）に示すように、レール部材１０は、レール部材１０の本体とされる本体基板部１３と、その本体基板部１３の幅方向（図１における上下方向）の略中央より突出した２条の突出片１１ａよりなるレール部１１とを備えている。また各突出片１１ａの外側には、相離反する方向に突出した突条１４が形成されている。２条の突出片１１ａおよび２片の突条１４はいずれも、本体基板部１３の全長にわたり形成されている。
【００１８】
突条１４と、突出片１１ａの突条１４の基部よりも開放端部までの部位とによりパネル係合部１２が構成されており、図１（ｂ）に示すように、そのパネル係合部１２にパネル５の端部が係合するようにしてパネル５が取り付けられる。
【００１９】
本体基板部１３はその裏面が下地３に固着され、給電レール１が取り付け固着された状態では、表面に設けられたレール部１１が下地３の前方へ突出し、略水平状態となる（図１（ｂ）参照）。
【００２０】
上述したＵ字溝２０は、レール部１１の前面を開口するように形成されている。具体的には図１（ｂ）に示すように、Ｕ字溝２０は、２条の突出片１１ａ間に、本体基板部１３の前面を溝底面２１をとして設けられている。
【００２１】
このＵ字溝２０の内部には、溝底側導電バー取付部２４と、溝開口側導電バー取付部２５とが設けられている。
【００２２】
溝底側導電バー取付部２４は、図１（ｂ）に示すように、一対の電力線導電バー２４ａが溝底２１側（近傍）の溝壁面２３に、溝壁面２３間で空間をはさんで向かい合うように溝幅方向２８に並べられ、絶縁部２４ｂを介して配設されている。この絶縁部２４ｂは、その前面に電力線導電バー２４ａが嵌着され、溝壁面２３に埋め込むように固着されて、取り付けられている。
【００２３】
溝開口側導電バー取付部２５は、図１（ｂ）に示すように、一対の通信線導電バー２５ａが一方（図例では上側）の溝壁面２３に、Ｕ字溝２０の溝深さ方向２７に沿って並べられている。絶縁部２５ｂは、その前面に一対の通信線導電バー２５ａが並ぶように嵌着され、突出片１１ａに埋め込み固着されている。
【００２４】
このように、この給電レール１では、Ｕ字溝２０内における、一対の電力線導電バー２４ａの並び方向と、一対の通信線導電バー２５ａの並び方向とが異なっている。
【００２５】
このような給電レール１に電気機器などの受電プラグ４０（図２参照）が正しく装着されることで、受電プラグ４０は電気的な接続が可能となる。例えば図２に示すような受電プラグ付きコンセント３０（以下、たんにコンセント３０という）は、給電レール１のＵ字溝２０に差し込まれることで受電できるようになる。
【００２６】
以上のように、本給電レール１では２種類の導電バーの並び方向が異なっているため、間違った接続およびそれによる誤動作の発生を低減化できる。例えば、同じ方向に並べた場合には、受電プラグ４０の差し込み量を誤れば異なる接続がなされるおそれがあるが、本給電レール１の並び方向によれば、そのようなおそれはない。
【００２７】
また、一方の溝壁面２３に設けた溝開口側導電バー取付部２５を、図例のようにＵ字溝２０の上面となるように給電レール１を配すれば、溝開口側導電バー取付部２５にごみやほこりが溜まりにくくなり、安全性が望める。溝底側導電バー取付部２４はＵ字溝２０の奥方に配置されているため、もちろんごみやほこりは侵入しにくい。
【００２８】
なお、一対の電力線導電バー２４ａと一対の通信線導電バー２５ａとを入れ替えた配置にしてもよい。いずれにせよ、２種の導電バーが非対称の配置となるため、給電レール１の上下の向きの判別はしやすくなる。また、本実施形態の例では、高い電圧の一対の電力線導電バー２４ａが溝底２１側に配置されているため、人の手指が触れにくく、安全性が確保される。もちろんこのような配置に限ることはない。
【００２９】
また、図１（ｂ）の上側の溝壁面２３に設けた電力線導電バー２４ａの溝開口２２側の隣接部には、電力線導電バー２４ａと通信線導電バー２５ａとを仕切るように、凸条部２３ａが形成されている。もう一方の溝壁面２３についても凸条部２３ａが形成されている。ようするに、溝底側導電バー取付部２４は、両凸条部２３ａにより狭まった装着口２６の奥方に設けられている。
【００３０】
このように、一対の電力線導電バー２４ａはＵ字溝２０の奥まった位置に配され、しかも装着口２６が狭められているため、さらに手指は侵入しにくくなり、さらなる安全性を図ることができる。
【００３１】
なお、１つの溝壁面２３に２種の導電バーを並べた場合には、Ｕ字溝２０を深く形成しなければならず、そのためレール部１１が大きく突出し、見栄えが悪くなるおそれがある。また、Ｕ字溝２０が深ければ、受電プラグ４０の差し込みもしにくくなる。受電プラグ４０の形状も細長いものとなり、破損しやすくなる。
【００３２】
一方、溝底面２１に２種の導電バーを並べた場合には、溝幅つまり溝開口２２の幅寸法を大きくしなければならず、そのため見栄えが悪くなるおそれがある。また、溝開口２２の幅寸法が大きければ手指が入り込みやすくなり、ほこりなどの異物の侵入もしやすくなる。
【００３３】
ようするに、本給電レール１のように、２種の導電バーを異なる方向に並べた構成とすることで、上記のような同方向に並べたものにくらべ、利便性、安全性、意匠性のいずれについてもよくなる。もちろん、２種の導電バーが１つのレール部材１０に設けられているため、種々の配線（導電バー）を隠すことができ、見栄えはよくなる。
【００３４】
図２（ａ）（ｂ）は、コンセント３０の正面側と背面側の各斜視図である。このコンセント３０は、直方体形状の本体３１を有し、その裏面の中央に受電プラグ４０が設けてある。また本体３１の表面には、長手方向の一方の端部側には一対の差込口を有した電力用差込部３２が設けられ、他方の端部側には一対の差込口を有した通信用差込部３３が設けられ、それらの間に操作部３４が設けられている。
【００３５】
受電プラグ４０は、略直方体形状のプラグ本体４１が、本体３１の裏面に直交する方向に突出するように、本体３１の裏面の回転部３７に連結されている。この回転部３７は操作部３４に連結されている。この操作部３４の操作でプラグ本体４１をＵ字溝２０内においても回転させることができ、その回転操作で、電気的に接続し、あるいは接続を遮断することができる。なお、図２（ｂ）は接続可能な状態を示す図である。
【００３６】
プラグ本体４１の先端部の上下（本体３１の短手方向の両端側）には、一対の端子を有した電力用受電部４２が設けてあり、それよりも基端側の上部面には、突出方向に沿って、一対の端子を有した通信用受電部４３が設けてある（図２（ｂ）参照）。この通信用受電部４３を設けたプラグ本体４１の面の幅寸法Ｗ１は、Ｕ字溝２０内の装着口２６の開口幅よりも小さく、かつ、その面に隣接する面（図２（ｂ）における本体３１の長手方向を向いた面）の幅寸法Ｗ２よりも小さい。
【００３７】
受電プラグ４０の突出寸法は給電レール１のＵ字溝２０の深さ寸法におおむね合致しており、電力用受電部４２、通信用受電部４３のプラグ本体４１の長手方向における取付位置については、Ｕ字溝２０内のそれぞれの導電バーの配設位置に合致している。また、受電プラグ４０がＵ字溝２０の奥まで挿入されたときに、コンセント３０の本体３１の裏面がパネル５の表面に当接することが望ましい（図３（ｂ）（ｃ）参照）。
【００３８】
また、電力用差込部３２は電気機器への給電口とされ、通信用差込部３３は通信機器への給電口とされる。すなわち、本体３１の内部では、電力用受電部４２と電力用差込部３２との電気接続が可能なように配線接続されており、同様に通信用受電部４３と通信用差込部３３との電気接続が可能なように配線接続されている。
【００３９】
操作部３４は、円盤状とされ、操作溝３４ａを有している。図２（ｃ）に示すように、操作溝３４ａに操作具（不図示）を差し込み、操作溝３４ａを縦から横へ略９０度回転させることで、回転部３７を介して受電プラグ４０を９０度回転できるようになっている。なお、図２（ｃ）に示すように、操作部３４の表面と、操作部３４の外側とに目印３６が設けてあり、これらの目印３６が合致していれば、電力用受電部４２および通信用受電部４３が、導電バーに接続し得る位置に配されていることを示している。
【００４０】
このようなコンセント３０は、給電レール１のＵ字溝２０に対し、図２（ｂ）、図３（ａ）および図３（ｃ）に示すような状態に取り付けられる。この状態が、一対の電力線導電バー２４ａが受電プラグ４０の電力用受電部４２に電気接続が可能な状態であり、一対の通信線導電バー２５ａが受電プラグ４０の通信用受電部４３に電気接続が可能な状態である。
【００４１】
図３（ｃ）に示すように、電力用受電部４２の両端子間距離はＵ字溝２０内の装着口２６の開口幅よりも大きい。そのため、図２（ｂ）に示した状態のコンセント３０を、給電レール１に対し長手方向同士を合致させた状態で受電プラグ４０を溝内に正しく装着することは困難である。
【００４２】
そのため、まず、受電プラグ４０の電力用受電部４２および通信用受電部４３を本体３１の長手方向に向けておき、つまり操作部３４を図２（ｃ）の左図の状態にしておいてから、受電プラグ４０をＵ字溝２０に装着し、図３（ｂ）に示すような状態にする。通信用受電部４３を設けた面の幅寸法Ｗ１は装着口２６の開口幅よりも小さいため、容易にこの状態に装着することができる。
【００４３】
そして、操作部３４を図２（ｃ）に示すように、目印３６同士が合うように回転操作をすることで、受電プラグ４０を図３（ａ）の状態から図３（ｂ）の状態へと移行することができる。
【００４４】
なお、通信用受電部４３が、Ｕ字溝２０の導電バーが設けられていない溝壁面２３側に配されないように、図２（ｃ）の左図と右図との状態間でのみ、操作部３４の回転操作ができるようにしてもよい。
【００４５】
このようにして回転操作で受電プラグ４０をＵ字溝２０に、電気接続可能な適切な状態に装着することができる。
【００４６】
なお、受電プラグ４０は回転操作によらずＵ字溝２０に挿入するだけで、正しく接点接続できるものであってもよい。例えば、電力用受電部４２および通信用受電部４３の各接点を、ばねで進退できるようにしたものでもよい。
【００４７】
以上のようにして、コンセント３０は、一対の電力線導電バー２４ａおよび一対の通信線導電バー２５ａを通じて受電することができる。なお、コンセント３０に限らず他の電気機器の電源コードに受電プラグ４０を設けて、それを給電レール１に接続することもできる。
【００４８】
また、Ｕ字溝２０に差し込む受電プラグ４０は、電力用のみに対応したものや、通信用のみに対応したものでも利用することができる。
【００４９】
このような受電プラグ４０を給電レール１に装着しない場合には、そのＵ字溝２０の溝開口２２を塞ぐようなカバーを装着すればよい。また、受電プラグ４０の装着用の開口を有したカバーを取り付けてもよい。
【００５０】
以上に説明した実施形態では、溝底側導電バー取付部２４の導電バーは溝壁面２３に設けられ向かい合うように並べてあるが、溝底面２１に溝幅方向２８に沿って並べたものであってもよい。このように配した場合には、受電プラグの電力用受電部４２の配置もそれに合わせて変える必要があることはいうまでもない。
【００５１】
以上では、一対の第１導電バー２４ａを電力用とし、一対の第２導電バー２５ａを通信用としたものを例示したが、これには限らず、例えば一方をＡＣ１００Ｖ用とし、他方をＤＣ２４Ｖ用とした組み合わせにも適用される。また、同一電圧のものを２対、組み合わせてもよい。
【符号の説明】
【００５２】
１            給電レール
１０          レール部材
２０          Ｕ字溝
２１          溝底（溝底面）
２２          溝開口
２３          溝壁面
２４          溝底側導電バー取付部
２４ａ        一対の第１導電バー、一対の電力線導電バー（電力線導電バー）
２５          溝開口側導電バー取付部
２５ａ        一対の第２導電バー、一対の通信線導電バー（通信線導電バー）
２７          溝深さ方向
２８          溝幅方向
【図１】
2020162356.tif 000003
【図２】
2020162356.tif 000004
【図３】
2020162356.tif 000005